(57)【要約】      （修正有）【課題】わざわざ健康保険証や運転免許証の記載情報をコンピューターシステムに入力したり、設置されている複写機まで移動し複写しなくても、自動的にコンピューターシステムに入力されたり、客の目の前で、容易に貼り付け可能なラベルに複写するようにする。【解決手段】保険証や免許証の読み取り口１を介して情報を中央演算処理装置２に取り入れ、必要な文字情報をコンピューターシステムに伝送すると同時に、複写機能制御部３に健康保険証や運転免許証のイメージ情報を伝送し、ラベル発行口４からラベルを複写発行する。【選択図】図２
2010092341.tif 000002
【特許請求の範囲】
【請求項１】
健康保険証および運転免許証を挿入口から挿入された健康保険証および運転免許証に記載された情報を読み取る装置とその必要な情報を必要な情報データ形式に変換しコンピューターシステムに伝送する中央演算処理装置２と、健康保険証および運転免許証のイメージ情報を複写出力させる複写機能制御部３とを一つの筐体に設けて成ることを特徴とする健康保険証および免許証の記載情報の読み取りおよびデジタル伝送およびラベルに複写出力する装置。
【発明の詳細な説明】
【技術分野】
【０００１】
本発明は、健康保険証および運転免許証の記載内容の情報入力の必要性や、複写の保管を必要とされる一般企業や、公共機関の窓口で使用される情報入力およびラベルに複写出力を行う装置に関するものである。
【背景技術】
【０００２】
一般企業や、公共機関の窓口で担当の職員が客の健康保険証および運転免許証の必要情報を手入力で、コンピューターシステムに入力し、複写が必要な場合は、事務所に別途設置してある複写機へ移動し、複写を行っている。
しかし、このように健康保険証および運転免許証の必要情報を手入力で行うと誤入力など入力情報に問題が生じたり、入力の手間や、複写機までの移動・複写作業など、時間がかかり客を待機させるといった問題があった。
また、個人情報保護法の観点からも、客の身分証明証である健康保険証および運転免許証を複写のため本人の目の前から別の場所に持って移動すること自体にも問題があった。
【発明の開示】
【発明が解決しようとする課題】
【０００３】
しかし、コピー防止機能のある材質をしようするなど健康保険証だけでも様々な種類があり、また、健康保険証と運転免許証でも記載された項目、レイアウトの違いがあるため、従来のイメージセンサーで読み取る際に、鮮明にイメージを読み取れなかったり、文字を正確に読み取れず、間違った字として読み取ったり、読み取りエラーが生じたりするおそれがあり、それにより、鮮明に複写ができなかったり、コンピューターシステムに正確な記入事項を入力できないといった問題があった。
本発明は上記の点に鑑みてなされたものであり、健康保険証および運転免許証から読み取ったイメージをより鮮明に読み取り、かつ、記載事項のレイアウトに関わらず、正確な事項を読み取り、コンピューターシステムに文字情報を伝送し、同時に、ラベルに複写出力を鮮明に行う機器を提供することを目的とするものである。
【課題を解決するための手段】
【０００４】
本発明にかかわる装置は、保険証や免許証を読み取り口1を介して情報を中央演算処理装置２に取り入れ、必要な文字情報をコンピューターシステムに伝送すると同時に、複写機能制御部３に健康保険証や運転免許証のイメージ情報を伝送し、ラベル発行口４からラベルを複写発行することを特徴とする装置である。
また読み取った文字とイメージをより鮮明に処理するイメージ認識処理部５を中央演算処理装置２に設けて成ることを特徴とするものである。
また上記の挿入口１には健康保険証や運転免許証の情報読み取り装置６が設けてあり、同情報読み取り装置６を、中央演算処理装置２のＯＣＲ文字認識部７に接続してある。ＯＣＲ文字認識部７は、情報読み取り装置６のイメージセンサーで読み込まれるイメージ情報を文字情報に変換して認識するようにプログラムして形成されているものである。
ここで、情報読み取り装置６のイメージセンサーでイメージデータとして読み取られるが、このイメージデータは中央演算処理装置２に入力され、ＯＣＲ文字認識部７において文字データに変換されて文字情報として認識される。このように健康保険証や運転免許証の記載情報をイメージデータとして読み込んで文字データに変換するにあたって、住所及び氏名については中央演算処理装置２の住所文字変換処理部８において知識処理を行なって、文字データへの変換の処理速度や処理精度を高めるようにしてある。ただし、住所や氏名などの全文字を読み取れない場合には、コンピューターシステムにイメージデータを伝送し、コンピューターシステム内のデータベースに基づいて、健康保険証や運転免許証に記載されている住所や氏名、都道府県名、市郡町村名を類推して決定するように行う。
このようにして記載情報をパソコンシステムに伝送した後に、画像としてのイメージ情報を中央演算処理装置２の複写機能制御部３から健康保険証や運転免許証のイメージ情報がラベル発行口４にセットされているラベル紙に健康保険証や運転免許証のイメージが複写される。このようにしてラベル紙に健康保険証や運転免許証のイメージが複写されるので、資料としての保管も容易になる。
【発明の効果】
【０００５】
以上説明したように本発明は、健康保険証や運転免許証を挿入口1に挿入するだけで、自動入力とラベルへの自動複写を瞬時に行うため、別途手入力や、複写の手間を低減させるだけでなく、客の待機時間を低減させ、また、個人情報保護法の観点からも客の不安を抑えることができる。
また本発明は、貼り付け可能なラベル紙に複写するので、複写後、関連書類に容易に貼り付けることができるため、健康保険証や運転免許証のような重要な個人情報の紛失を抑制することができる。
【発明を実施するための最良の形態】
【０００６】
次のように図面にもとづいて本発明の実施形態を説明する。
図２は本発明の実施形態にかかる処理プロセスの全体を示すフローチャートであり、図１はその処理プロセスを行う装置を表す図である。
図１の挿入口1から健康保険証や運転免許証を挿入し、情報読み取り装置６のイメージセンサーでイメージデータとして読み取り、このイメージデータは中央演算処理装置２に入力され、ＯＣＲ文字認識部７において文字データに変換されて文字情報として認識される。このように健康保険証や運転免許証の記載情報をイメージデータとして読み込んで文字データに変換する。ただし、住所や氏名などの全文字を読み取れない場合には、ＵＳＢケーブルを介してコンピューターシステムにイメージデータを伝送し、コンピューターシステム内のデータベースに基づいて、健康保険証や運転免許証に記載されている住所や氏名、都道府県名、市郡町村名を類推して決定するように行う。
記載情報をパソコンシステムに伝送した後に、画像としての健康保険証や運転免許証のイメージ情報がラベル発行口４にセットされているラベル紙に健康保険証や運転免許証のイメージが複写される。
【図面の簡単な説明】
【０００７】
【図１】本発明に係わる装置の健康保険証および運転免許証の挿入口１とラベル発行口４の位置の説明図。
【図２】本発明に関わる全体のシステム構成を示したブロック図。
【符号の説明】
【０００８】
1  挿入口2  中央演算処理装置3  複写機能制御部4  ラベル発行口5  イメージ認識処理部6  情報読み取り装置7  ＯＣＲ文字認識部8  文字変換処理部
【図１】
2010092341.tif 000003
【図２】
2010092341.tif 000004